(57)【要約】      （修正有）【課題】充填物及びその数量を変更できる通気性枕の構造を提供する。【解決手段】主に少なくとも一つの枕本体１、１ａ、１ｂ及び枕本体を完全に覆う少なくとも一つのオーバーコート層２で構成する充填物１２及びその数量を変更できる通気性枕の構造である。その中、該オーバーコート層の一つの表面に、該枕本体に対応して通気性メッシュ２１を設けるほか、該オーバーコート層の如何なる一つの表面に少なくとも一つの開口２３を設けることで、ユーザーは該開口を通じて異なる規格、数量或いは充填物の種類の枕本体に交換することができ、それにより枕が人体を支える部分の高低を変えることができる。よって可動的に異なる好み或いは体型のユーザーの頭部、頚部の比較的高い、或いは比較的低い支える位置を調整できるほか、本考案は該通気性メッシュを利用し、ユーザーが枕シートと接触する際に、通気性のある効果を具有する。また、使用時にベターな快適性及び実用性の効果に達する。【選択図】図３
0003208250.tif 000002
【実用新案登録請求の範囲】
【請求項１】
少なくとも一つの枕本体及び一つのオーバーコート層を含み、
該枕本体に含まれるのは一つの収納ユニット及び多数の収納ユニットの中に設置する充填物であり、
該オーバーコート層は該枕本体の外側を包み、且つ該オーバーコート層の一つの表面は一つの通気性メッシュを設け、該通気性メッシュはオーバーコート層の一つの表面に嵌めて接合し、該オーバーコート層内に通気性メッシュと連通する一つの設置エリアを設け、該オーバーコート層の別の一つの表面に設置エリアと連通する開口を設け、或いは該オーバーコート層内に枕本体を設置する設置エリアを設け、該オーバーコート層の一つの表面に設置エリアと連通する開口を設け、該通気性メッシュは開口の片側に可動的に設け、且つ該設置エリアと枕本体を密閉することができることを特徴とする充填物及びその数量を変更できる通気性枕の構造。
【請求項２】
前記該収納ユニットは一つの袋状であることを特徴とする請求項１記載の充填物及びその数量を変更できる通気性枕の構造。
【考案の詳細な説明】
【技術分野】
【０００１】
本考案は枕本体に多種類の充填物及びその数量、充填内容を変更できる通気性がある枕の構造です。特にユーザーが自ら異なる充填物の枕芯を入れ替えられます。異なるユーザーの頭部、頚部に合わせた位置で充填物の数量、充填内容物種類の変更により、個人の体型に合わせることが最適な枕です。ユーザーは充填物を、簡単にカスタマイズできる枕になります。且つ接触する部分に通気性の効果を有し、最適な快適性及び実用性の効果を得る充填物及びその数量が変更できる通気性枕の構造です。
【背景技術】
【０００２】
従来の枕はおおまかに二種類に分けることができる。一つは一つの袋に綿などを充填して作る従来の枕であり、もう一つは天然ラテックス、テクノロジーラテックス、形状記憶フォーム、ウレタンスポンジなどの材質で一体成型に作られる記憶枕であり、ユーザーは枕として使用することができる。
【０００３】
しかし、従来の枕の充填物は袋本体及び綿などの材質により使用時には通気性がなく、蒸れを感じるほか、長時間使用で充填物を抑えるつけることで、内部の綿のフワフワ感が無くなり、一定期間枕を使用すると、つぶれた状態になり、だんだんユーザーの頚部の位置に合わせて支えることができない。しかし、形状記憶枕は従来枕のつぶれる状態の欠点を改善するが、該形状記憶枕は全て一定の高度(厚み)があるため、実際使用する際に、異なるユーザーの異なる頭部や頚部を支える高さに基づき枕の高低(つまり頚部或いは頭部を支える枕の厚み)を自ら変更することができない。この他、該形状記憶枕に複数の通気孔を設置するが、長時間使用すると、通気性が悪い状況が発生することがあるため、従来の枕は快適性及び実用性を兼ねることができないことを鑑みて、更なる改善が必要であった。
【先行技術文献】
【特許文献】
【０００４】
【特許文献１】特開2006-320676号公報
【考案の概要】
【考案が解決しようとする課題】
【０００５】
前記公知構造の欠点を解決するため、本考案はユーザーは異なる数量、規格及び内容物の種類の枕芯をユーザーが簡単に変更し、入れ替えられます。それにより枕の高低及び頚部及び頭部の部位を支える枕の厚みを調整することで、各ユーザーの異なる体型のニーズに合致させ、ユーザーの頭部、頚部の異なるニーズに応じて支える高さに達することができる。また、通気性メッシュによりユーザーが枕と接触する際に通気性の効果を有し、使用する際に各自の体型に合った、ベターな快適性及び実用性を持つ充填物及びその数量を変更できる通気性枕の構造を提供することを主な課題とする。
【課題を解決するための手段】
【０００６】
上述の目的を解決するために、本考案は充填物及びその数量を変更できる通気性枕の構造を提供するものである。それに含まれるのは少なくとも一つの枕本体及び一つのオーバーコート層であり、該枕本体に含まれるのは一つの収納ユニット及び収納ユニットの中に設置する充填物である。該オーバーコート層は該枕本体の外側を包み、且つ該オーバーコート層の一つの表面は一つの通気性メッシュを設ける。
【０００７】
本考案の一つの実施例において、該収納ユニットは一つの通気性のある袋状のものである。
【０００８】
本考案の一つの実施例において、各充填物は木の玉、籐で編んだ玉、竹で編んだ玉、籐で編んだ空洞レンガ、竹で編んだ空洞レンガ或いは活性炭などとし、前記の如何なる一つ或いは多種の混合材質の充填物である。
【０００９】
本考案の一つの実施例において、該オーバーコート層は天然ラテックス、テクノロジーラテックス、形状記憶綿、或いはウレタンスポンジなど、如何なる一つの材質或いは多種混合材質の充填物とする。
【００１０】
本考案の一つの実施例において、該通気性メッシュはオーバーコート層の一つの表面に嵌めて接合し、該オーバーコート層内に通気性メッシュと連通する一つの設置エリアを設けることで、枕本体を設置エリアに設置することができるほか、該オーバーコート層の別の一つの表面に設置エリアと連通する開口を設けることで、ユーザーは該開口を通じて異なる規格、数量或いは充填物の種類の枕本体を変更することができる。
【００１１】
本考案の一つの実施例において、該オーバーコート層内に枕本体を設置する少なくとも一つの設置エリアを設ける。且つ該オーバーコート層の一つの表面に設置エリアと連通する開口を設け、該通気性メッシュは開口の片側に可動的に設け、且つ該設置エリアと枕本体を密閉することができる。
【考案の効果】
【００１２】
本考案の構造により、ユーザーは異なる数量、規格及び内容物の種類の枕本体の中身を自ら変更することができ、それにより枕の高低及び頚部及び頭部の部位を支える枕の厚みを調整することで、各ユーザーの異なる体型のニーズに合致し、ユーザーの頭部、頚部の異なるニーズに応じた支え高さを満足することができる。また、通気性メッシュによりユーザーが枕と接触する際に通気性の効果を有する。
【図面の簡単な説明】
【００１３】
【図１】本考案の充填物及びその数量を変更できる通気性枕の立体断面略図である。
【図２】本考案の充填物及びその数量を変更できる通気性枕の断面略図である。
【図３】本考案の充填物及びその数量を変更できる通気性枕の断面略図により、枕本体内部は異なる性質、数量或いは材料の充填物にすることを表示する。
【図４】本考案の充填物及びその数量を変更できる通気性枕の断面略図であり、通気性メッシュは開口にできることを表示する。
【図５】本考案の充填物及びその数量を変更できる通気性枕の別の形態の断面略図である。
【図６】本考案の充填物及びその数量を変更できる通気性枕の断面略図であり、枕本体の位置が人体の頭部、頚部に対応し、充填物の数量を調整することで頭部頚部の高低を調整できることを表示する。
【考案を実施するための形態】
【００１４】
以下、本考案の構造と特徴および効果を、最良実施例と図面を参照しながら詳細に説明する。
【実施例１】
【００１５】
図１から図４を参照。図１は本考案の充填物及びその数量を変更できる通気性枕の立体断面略図である。図２は本考案の充填物及びその数量を変更できる通気性枕の断面略図である。図３は本考案の充填物及びその数量を変更できる通気性枕の断面略図により、枕本体内部は異なる性質、数量或いは材料の充填物にすることを表示する。図４は本考案の充填物及びその数量を変更できる通気性枕の断面略図であり、通気性メッシュは開口にできることを表示する。
【００１６】
それらの図に示すように、本考案は充填物及びその数量を変更できる通気性枕である。それは少なくとも一つの枕本体１及び一つのオーバーコート層２で構成する(図１に示す通り)。
【００１７】
前記の枕本体１に含まれるのは少なくとも一つの収納ユニット１１及び収納ユニット１１の中に設置する充填物(図１に示す通り)を含む。本実施例において、該収納ユニット１１は一つの袋状のものであり、該袋状内部に複数の充填物１２を充填し、該充填物は木の玉、籐で編んだ玉、竹で編んだ玉、籐で編んだ空洞レンガ、竹で編んだ空洞レンガ或いは活性炭などとし、前記の如何なる一つ或いは多種の混合材質で構成する充填物である(図３に示す通り)。
【００１８】
該オーバーコート層２は該枕本体１を包み、該オーバーコート層２は一般的に天然ラテックス、テクノロジーラテックス、形状記憶綿、或いはウレタンスポンジの材質(図に未掲載)である。該オーバーコート層２の一つの表面は一つの通気性メッシュ２１(図１に示す通り)を設け、且つ該通気性メッシュ２１はオーバーコート層２の一つの表面に嵌めて接合する。該オーバーコート層２内に通気性メッシュ２１と連通する一つの設置エリア２２を設け、図４に示すように、枕本体１を該設置エリア２２の中に設置する。或いは、図３に示すように、該オーバーコート層２の別の一つの表面に設置エリア２２と連通する開口２３を設ける。
【実施例２】
【００１９】
次に図３から図４及び図５から図６を参照。図５は本考案の充填物及びその数量を変更できる通気性枕の別の形態の断面略図である。図６は本考案の充填物及びその数量を変更できる通気性枕の断面略図であり、枕本体の位置が人体の頭部、頚部に対応し、充填物の数量を調整することで頭部頚部の高低を調整できることを表示する。
【００２０】
それらの図に示すように、本考案の枕本体１及びそれを収納する設置エリア２２(２２ａ)は、本考案においては、オーバーコート層２の中央部分に限定せず、本考案はまたオーバーコート層が対応する人体の頚部或いは頭部位置に本考案の設置エリア２２(２２ａ)を設置することができ、該設置エリア２２(２２ａ)に設置する枕本体１、１ａ、１ｂは確実に人体頚部或いは頭部に対応して、有効的に支える高さを制御することができる。
【００２１】
本考案を実際に使用する際、図３に示すように、ユーザーはニーズに基づき異なる規格の枕本体１、１ａ、１ｂを選び、そして選んだ枕本体１、１ａ、１ｂをオーバーコート層２の開口２３より設置エリア２２内に設置する。前記動作を完成すると、オーバーコート層２の材料の特性を利用し、枕本体１、１ａ、１ｂはオーバーコート層２の中から抜けることがない。このようにすれば、ユーザーは自ら異なる規格の枕本体１、１ａ、１ｂを選び、枕の高低を調整することができる。よって、図５から図６に示すように、該枕本体１、１ａ、１ｂは異なるユーザーの頭部頚部を支える位置に合致することができる。通気性メッシュ２１を利用し、各充填物１２に合わせ、ユーザーが枕シートと接触する際に、通気性の効果を具有することができる。本考案が少なくとも下記のメリットを具有する。
【００２２】
１、枕本体１、１ａ、１ｂの交換を介し、ユーザーが自ら枕本体１の高低(厚み)の位置を調整することができ、それにより図６に示すように、ベターな頭部頚部の支える位置を得て、使用時の快適性に達する。
【００２３】
２、充填物１２、オーバーコート層２及び通気性メッシュ２１の組合せにより、ユーザーの頭部が枕シートと接触する際、快適な弾力性及びベターな通気性効果がある。
【００２４】
更に図４に示すように、本考案は前記の構造形態のほか、本考案はまた開口２３などのデザインを下記に言及する構造形態にすることができる。それの異なる部分は：該オーバーコート層２ａ内に枕本体１、１ａ、１ｂを設置する少なくとも一つの設置エリア２２ａを設ける。且つ該オーバーコート層２ａの一つの表面に設置エリア２２ａと連通する開口２３ａを設け、該通気性メッシュ２１ａは開口２３ａの片側に可動的に設け、且つ該設置エリア２２ａと枕本体１、１ａ、１ｂを密閉することができる。
【００２５】
使用する際、ユーザーはニーズに基づき異なる規格の枕本体１、１ａ、１ｂを選び、更に通気性メッシュ２１ａを開け、選んだ枕本体１、１ａ、１ｂをオーバーコート層２ａの開口２３ａから設置エリア２２ａ内に設置する。前記動作を終えてから更に通気性メッシュ２１ａを蓋合することで、該設置エリア２２ａと枕本体１、１ａ、１ｂを密閉するため、枕本体１、１ａ、１ｂがオーバーコート層２ａの中から抜けることがない。よって、ユーザーは自ら選んだ異なる規格の枕本体１、１ａ、１ｂにより枕の高低を調整することができ、それにより該枕本体１、１ａ、１ｂは異なるユーザーの頭部頚部の支える位置に合わせることができる(図６に示す通り)。また、通気性メッシュ２１ａを利用し、各充填物１２と合わせてユーザーは枕シートと接触する際に、通気性のある効果を具有する。
【００２６】
上記をまとめると、本考案の充填物及びその数量を変更できる通気性枕は確実に従来の欠点を改善し、ユーザーは自ら異なる規格の枕本体を交換することで、枕の高低を調整し、異なるユーザーの頭部頚部の支える位置に合わせて調整することができる。また、通気性メッシュにより、ユーザーは枕シートと接触する際に、通気性のある効果を具有し、使用時にベターな快適性及び実用性の効果に達する。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１、１ａ、１ｂ  枕本体 
１１  収納ユニット
１２  充填物
２、２ａ  オーバーコート層
２１、２１ａ  通気性メッシュ
２２、２２ａ  設置エリア
２３、２３ａ  開口
【図１】
0003208250.tif 000003
【図２】
0003208250.tif 000004
【図３】
0003208250.tif 000005
【図４】
0003208250.tif 000006
【図５】
0003208250.tif 000007
【図６】
0003208250.tif 000008